(57)【要約】【課題】本発明は、極めて商品価値の高い画期的な挟持工具を提供することを目的とする。【解決手段】基端部の握持操作部１の開閉操作によって開閉作動する一対の挟持部２，３を先端部に設けた挟持工具において、前記挟持部２，３の対向挟持面２ａ，３ａに、この対向挟持面２ａ，３ａの先端縁から基端方向に向って凹部４ａ，４ｂを対向形成して、ビスやネジなどの小部材５を挟持する第一包持挟持部４を設け、前記挟持部２，３の対向挟持面２ａ，３ａの側端縁から巾方向に向って凹部６ａ，６ｂを対向形成して、前記小部材５を挟持する第二包持挟持部６を設けたものである。【選択図】        図２
2004330348.tif 000002
【特許請求の範囲】
【請求項１】
基端部の握持操作部の開閉操作によって開閉作動する一対の挟持部を先端部に設けた挟持工具において、前記挟持部の対向挟持面に、この対向挟持面の先端縁から基端方向に向って凹部を対向形成して、ビスやネジなどの小部材を挟持する第一包持挟持部を設け、前記挟持部の対向挟持面の側端縁から巾方向に向って凹部を対向形成して、前記小部材を挟持する第二包持挟持部を設けたことを特徴とする挟持工具。
【請求項２】
前記第一包持挟持部及び第二包持挟持部は、前記小部材に対して三箇所支持状態で挟持し得るように構成されていることを特徴とする請求項１記載の挟持工具。
【請求項３】
前記対向する凹部と凹部とによって形成される小部材包持部位の断面形状を、隣り合う二辺の長さが等しくなく且つ内角が直角でない略四角形状として、前記小部材に対して三箇所支持状態で挟持し得るように前記第一包持挟持部及び第二包持挟持部は構成されていることを特徴とする請求項１，２のいずれか１項に記載の挟持工具。
【請求項４】
大きさの異なる小部材を挟持し得る第二包持挟持部を複数設けたことを特徴とする請求項１〜３のいずれか１項に記載の挟持工具。
【請求項５】
基端部の握持操作部の開閉操作によって開閉作動する一対の挟持部を先端部に設けた挟持工具において、前記挟持部の対向挟持面に、この対向挟持面の先端縁から基端方向に向って凹部を対向形成して、ビスやネジなどの小部材を挟持する包持挟持部を設け、この包持挟持部は、前記小部材に対して三箇所支持状態で挟持し得るように構成されていることを特徴とする挟持工具。
【請求項６】
前記対向する凹部と凹部とによって形成される小部材包持部位の断面形状を、隣り合う二辺の長さが等しくなく且つ内角が直角でない略四角形状として、前記小部材に対して三箇所支持状態で挟持し得るように前記包持挟持部は構成されていることを特徴とする請求項５記載の挟持工具。
【請求項７】
基端部の握持操作部の開閉操作によって開閉作動する一対の挟持部を先端部に設けた挟持工具において、前記挟持部の対向挟持面に、この対向挟持面の側端縁から巾方向に向って凹部を対向形成して、前記小部材を挟持する包持挟持部を設け、この包持挟持部は、前記小部材に対して三箇所支持状態で挟持し得るように構成されていることを特徴とする挟持工具。
【請求項８】
前記対向する凹部と凹部とによって形成される小部材包持部位の断面形状を、隣り合う二辺の長さが等しくなく且つ内角が直角でない略四角形状として、前記小部材に対して三箇所支持状態で挟持し得るように前記包持挟持部は構成されていることを特徴とする請求項７記載の挟持工具。
【請求項９】
大きさの異なる小部材を挟持し得る包持挟持部を複数設けたことを特徴とする請求項７，８のいずれか１項に記載の挟持工具。
【発明の詳細な説明】
【０００１】
【発明の属する技術分野】
本発明は、挟持工具に関するものである。
【０００２】
【従来の技術及び発明が解決しようとする課題】
従来から、例えば壁面に螺着されるネジやビスなどの小部材を強引に螺動させることで該小部材の頭部に形成される嵌入溝が潰れてしまう場合があり、この嵌入溝が潰れた小部材を取り外すのは大変である。
【０００３】
そこで、この嵌入溝が潰れた小部材を取り外す為の専用の工具等が種々提案される中、基端部の握持操作部の開閉操作によって開閉作動する一対の挟持部を先端部に設けた構造の挟持工具（ペンチ）に、この嵌入溝が潰れた小部材を取り外す機能を具備せしめたものが提案されており、具体的には、挟持部の対向挟持面に凹部を対向形成して成り、ビスやネジなどの小部材を挟持し得る包持挟持部を設けたものである。
【０００４】
本出願人は、前述した小部材を回動させる機能も具備する挟持工具について更なる研究・開発を進め、極めて商品価値の高い画期的な挟持工具を開発した。
【０００５】
【課題を解決するための手段】
添付図面を参照して本発明の要旨を説明する。
【０００６】
基端部の握持操作部１の開閉操作によって開閉作動する一対の挟持部２，３を先端部に設けた挟持工具において、前記挟持部２，３の対向挟持面２ａ，３ａに、この対向挟持面２ａ，３ａの先端縁から基端方向に向って凹部４ａ，４ｂを対向形成して、ビスやネジなどの小部材５を挟持する第一包持挟持部４を設け、前記挟持部２，３の対向挟持面２ａ，３ａの側端縁から巾方向に向って凹部６ａ，６ｂを対向形成して、前記小部材５を挟持する第二包持挟持部６を設けたことを特徴とする挟持工具に係るものである。
【０００７】
また、前記第一包持挟持部４及び第二包持挟持部６は、前記小部材５に対して三箇所支持状態で挟持し得るように構成されていることを特徴とする請求項１記載の挟持工具に係るものである。
【０００８】
また、前記対向する凹部４ａ，６ａと凹部４ｂ，６ｂとによって形成される小部材包持部位の断面形状を、隣り合う二辺の長さが等しくなく且つ内角が直角でない略四角形状として、前記小部材５に対して三箇所支持状態で挟持し得るように前記第一包持挟持部４及び第二包持挟持部６は構成されていることを特徴とする請求項１，２のいずれか１項に記載の挟持工具に係るものである。
【０００９】
また、大きさの異なる小部材５を挟持し得る第二包持挟持部６を複数設けたことを特徴とする請求項１〜３のいずれか１項に記載の挟持工具に係るものである。
【００１０】
また、基端部の握持操作部１の開閉操作によって開閉作動する一対の挟持部２，３を先端部に設けた挟持工具において、前記挟持部２，３の対向挟持面２ａ，３ａに、この対向挟持面２ａ，３ａの先端縁から基端方向に向って凹部４ａ，４ｂを対向形成して、ビスやネジなどの小部材５を挟持する包持挟持部４を設け、この包持挟持部４は、前記小部材５に対して三箇所支持状態で挟持し得るように構成されていることを特徴とする挟持工具に係るものである。
【００１１】
また、前記対向する凹部４ａと凹部４ｂとによって形成される小部材包持部位の断面形状を、隣り合う二辺の長さが等しくなく且つ内角が直角でない略四角形状として、前記小部材５に対して三箇所支持状態で挟持し得るように前記包持挟持部４は構成されていることを特徴とする請求項５記載の挟持工具に係るものである。
【００１２】
また、基端部の握持操作部１の開閉操作によって開閉作動する一対の挟持部２，３を先端部に設けた挟持工具において、前記挟持部２，３の対向挟持面２ａ，３ａに、この対向挟持面２ａ，３ａの側端縁から巾方向に向って凹部６ａ，６ｂを対向形成して、前記小部材５を挟持する包持挟持部６を設け、この包持挟持部６は、前記小部材５に対して三箇所支持状態で挟持し得るように構成されていることを特徴とする挟持工具に係るものである。
【００１３】
また、前記対向する凹部６ａと凹部６ｂとによって形成される小部材包持部位の断面形状を、隣り合う二辺の長さが等しくなく且つ内角が直角でない略四角形状として、前記小部材５に対して三箇所支持状態で挟持し得るように前記包持挟持部６は構成されていることを特徴とする請求項７記載の挟持工具に係るものである。
【００１４】
また、大きさの異なる小部材５を挟持し得る包持挟持部６を複数設けたことを特徴とする請求項７，８のいずれか１項に記載の挟持工具に係るものである。
【００１５】
【発明の実施の形態】
好適と考える本発明の実施の形態（発明をどのように実施するか）を、図面に基づいてその作用効果を示して簡単に説明する。
【００１６】
本発明は、例えばビスやネジなどの小部材５を第一包持挟持部４或いは第二包持挟持部６で挟持し、この状態で例えば握持操作部１を持ったまま回動させることで小部材６を緩めたり締め付けたりすることができる。
【００１７】
従って、握持操作部１の操作方向が異なる第一包持挟持部４と第二包持挟持部６とを具備することで、例えば作業環境に応じてこの第一包持挟持部４若しくは第二包持挟持部６の挟持し易い方を選択して小部材５を挟持させることができることになり、非常に便利である。
【００１８】
また、第一包持挟持部４及び第二包持挟持部６が、小部材５に対して三箇所支持状態で挟持し得るように構成されている場合には、この第一包持挟持部４及び第二包持挟持部６により小部材５を安定的に強い力で挟持し得ることになる。
【００１９】
具体的には、例えば図９に図示したように四箇所支持によって挟持する構造の場合には、強い挟持力が得にくく、不安定で滑り易いなどの問題点が生じる場合がある（四箇所支持構造において強い挟持力を得ようとする場合、包持挟持部と、小部材５との双方に極めて高精度な製造技術が要求されることに成り、これは実質不可能である）。
【００２０】
この点、本発明は、前述した構造から三箇所支持故に（図１０参照）、例えば小部材５の挟持する部分が断面円形状であっても極めて安定した挟持状態が得られることになり堅固に且つ確実に挟持した状態で小部材５を回動させたりすることができ、しかも、それ程精度が要求されることもなく簡易構造故にコスト安にして量産性にも秀れることになる。
【００２１】
【実施例】
本発明の具体的な実施例について図面に基づいて説明する。
【００２２】
本実施例は、基端部の握持操作部１の開閉操作によって開閉作動する一対の挟持部２，３を先端部に設けたものである。尚、本実施例では挟持工具としてプライヤーに適用しているが、例えば切断機能も具備するペンチでも良く、本実施例の特性を発揮し得る構成であれば適宜採用し得るものである。
【００２３】
以下、本実施例に係る構成各部について詳細な説明をする。
【００２４】
工具本体Ａは、図１，２に図示したように金属製の棒状半体７，８同士を交叉枢着して構成したものであり、この枢着部１１よりも基端側部位には、樹脂製のグリップ９，１０が被嵌されて握持操作部１が設けられており、一方、枢着部１１よりも先端側部位には、前記握持操作部１の開閉操作により開閉作動し、内面に対向挟持面２ａ，３ａを有する挟持部２，３が設けられている。
【００２５】
また、工具本体Ａの先端部にして挟持部２，３には、ビスやネジなどの小部材５を挟持し得る第一包持挟持部４及び第二包持挟持部６が設けられている。
【００２６】
具体的には、この第一包持挟持部４は、図１〜４に図示したように挟持部２，３の対向挟持面２ａ，３ａに、この対向挟持面２ａ，３ａの先端縁から基端方向に向って略Ｖ字状の凹部４ａ，４ｂを対向形成して構成され、一方、第二包持挟持部５は、図４〜８に図示したように挟持部２，３の対向挟持面２ａ，３ａの左右両側端縁から巾方向に向って略Ｖ字状の凹部６ａ，６ｂを対向形成して構成されている。
【００２７】
従って、第一包持挟持部４は、小部材５に対して工具本体Ａを垂直状態（直線状態）に配して包持挟持する構成であり、一方、第二包持挟持部４は、小部材５に対して工具本体Ａを直交状態（直角状態）に配して包持挟持する構成である。
【００２８】
また、本実施例では、挟持部２，３の対向挟持面２ａ，３ａの左右両側端縁から巾方向に向って大小巾の異なる凹部６ａ，６ｂを二箇所ずつ並設状態に対向形成しており、よって、大きさの異なる（径の異なる）小部材５を包持挟持し得る第二包持挟持部６が一対設けられている（図６，７参照）。
【００２９】
また、第一包持挟持部４及び第二包持挟持部６を構成する各凹部４ａ，４ｂ，６ａ，６ｂの内面は、段々形状（山部と谷部とが連続するギザギザ形状）に形成されており、第一包持挟持部４及び第二包持挟持部６は小部材５の周面に対して点接触することになる。
【００３０】
また、第一包持挟持部４及び第二包持挟持部６は、小部材５に対して三箇所支持状態（三点支持状態）で挟持し得るように構成されている。
【００３１】
具体的には、対向する凹部４ａ，６ａと凹部４ｂ，６ｂによって形成される小部材包持部位の断面形状を、図３，８に図示したように隣り合う二辺の長さが等しくなく且つ内角が直角でない略四角形状（平行四辺形状）としている。この構成から、第一包持挟持部４及び第二包持挟持部６は小部材５を挟持した際、該小部材５に対して三箇所支持状態で挟持し得ることになり、この第一包持挟持部４及び第二包持挟持部６における三箇所支持を得る構成として前述した形状（四角形状）に限定されるものではないが、製造性（精度性や量産性など）を考慮すると四角形状が望ましい。
【００３２】
尚、本実施例では、工具本体Ａの先端部に開口方向の異なる第一包持挟持部４と第二包持挟持部６とを設けているが、工具本体Ａの挟持部位における先端面に開口する包持挟持部のみを設けるようにしても良いし、工具本体Ａの挟持部位における側端面に開口する包持挟持部のみを設けるようにしても良い。
【００３３】
本実施例は上述のように構成したから、握持操作部１の操作方向が異なる第一包持挟持部４と第二包持挟持部６とを具備することで、この第一包持挟持部４若しくは第二包持挟持部６の挟持し易い方を選択して小部材５を挟持させることができることになり、非常に便利である。
【００３４】
また、本実施例は、第一包持挟持部４及び第二包持挟持部６が、小部材５に対して三箇所支持状態で挟持し得るように構成されているから、例えば小部材５の挟持する部分が断面円形状であっても極めて安定した挟持状態が得られることになり堅固に且つ確実に挟持した状態で小部材５を回動させたりすることができ、しかも、この構造は例えば四箇所支持構造を得ようとする場合に比し、それ程精度が要求されることもなく簡易構造故にコスト安にして量産性にも秀れることになる。
【００３５】
また、本実施例は、第一包持挟持部４及び第二包持挟持部６を構成する対向する凹部４ａ，６ａと凹部４ｂ，６ｂとによって形成される小部材包持部位の断面形状を、隣り合う二辺の長さが等しくなく且つ内角が直角でない略四角形状として、小部材５に対して三箇所支持状態で挟持し得るように構成されているから、小部材５を堅固に包持挟持し得る構造が簡易且つ確実に得られることになる。
【００３６】
また、本実施例は、挟持部２，３の側面部には、大小径の異なる小部材５を挟持し得る一対の挟持凹部８を設けているから、それだけ作業範囲が広くなり便利である。
【００３７】
尚、本発明は、本実施例に限られるものではなく、各構成要件の具体的構成は適宜設計し得るものである。
【００３８】
【発明の効果】
本発明は上述のように構成したから、第一包持挟持部若しくは第二包持挟持部の挟持し易い方を選択して小部材を挟持させることができて非常に便利であるなど極めて商品価値の高い画期的な挟持工具となる。
【００３９】
また、請求項２記載の発明においては、堅固に小部材を挟持することができ、しかも、簡易構造故にコスト安にして量産性にも秀れることになるなど極めて商品価値の高い画期的な挟持工具となる。
【００４０】
また、請求項３記載の発明においては、小部材を堅固に包持挟持し得る構造が簡易且つ確実に得られることになるなど極めて商品価値の高い画期的な挟持工具となる。
【００４１】
また、請求項４記載の発明においては、非常に作業範囲が広く便利であるなど極めて商品価値の高い画期的な挟持工具となる。
【図面の簡単な説明】
【図１】本実施例を示す側面図である。
【図２】本実施例の使用状態説明図である。
【図３】本実施例に係る要部の説明図である。
【図４】本実施例に係る要部の説明平面図である。
【図５】本実施例を示す正面図である。
【図６】本実施例の使用状態説明図である。
【図７】本実施例の使用状態説明図である。
【図８】本実施例に係る要部の説明図である。
【図９】包持挟持部における挟持状態を説明する断面図である。
【図１０】包持挟持部における挟持状態を説明する断面図である。
【符号の説明】
１  握持操作部
２  挟持部
２ａ  対向挟持面
３  挟持部
３ａ  対向挟持面
４  第一包持挟持部・包持挟持部
４ａ  凹部
４ｂ  凹部
５  小部材
６  第二包持挟持部・包持挟持部
６ａ  凹部
６ｂ  凹部
【図１】
2004330348.tif 000003
【図２】
2004330348.tif 000004
【図３】
2004330348.tif 000005
【図４】
2004330348.tif 000006
【図５】
2004330348.tif 000007
【図６】
2004330348.tif 000008
【図７】
2004330348.tif 000009
【図８】
2004330348.tif 000010
【図９】
2004330348.tif 000011
【図１０】
2004330348.tif 000012